(57)【要約】【課題】弱い磁石を用いたゴト行為を防止すると共に、各入賞口及びその周辺部に磁気センサを設ける場合にはその磁気センサから遠い場所でのゴト行為についても効果的に検知できる弾球遊技機を提供する。【解決手段】遊技領域内に配置した入球口４１，４２の左右一方側を経て入球口４１，４２の上側の上部領域に至る経路上に、遊技球が通過可能な範囲でその経路の前部側を狭める通過障害部８７ｂ，８７ｃ，８８ａ，８８ｂを配置する。通過障害部８７ｂ，８７ｃ，８８ａ，８８ｂは、例えば経路の前側に遊技盤と略平行に配置された前カバーに後向き突出状に設ける。【選択図】図５
2014151046.tif 000002
【特許請求の範囲】
【請求項１】
略上向きに開口する入球口を、遊技盤の前側の遊技領域内に配置した弾球遊技機において、
前記入球口の左右一方側を経て前記入球口の上側の上部領域に至る経路上に、遊技球が通過可能な範囲でその経路の前部側を狭める通過障害部を配置した
ことを特徴とする弾球遊技機。
【請求項２】
前記経路の前側に前記遊技盤と略平行な前カバーを配置し、
前記通過障害部を前記前カバーに後向き突出状に設けた
ことを特徴とする請求項１に記載の弾球遊技機。
【請求項３】
前記通過障害部を、前記入球口の側端部に対応してその上側に配置した
ことを特徴とする請求項１又は２に記載の弾球遊技機。
【請求項４】
前記通過障害部を、前記入球口の側方に配置した
ことを特徴とする請求項１〜３の何れかに記載の弾球遊技機。
【請求項５】
２つの前記入球口を遊技球が通過可能な間隔を挟んで左右に配置し、
それら２つの入球口の間に前記通過障害部を配置した
ことを特徴とする請求項４に記載の弾球遊技機。
【請求項６】
前記遊技盤に装着され且つ所定の可動体を駆動する駆動手段を備えたユニット上に、前記入球口と、該入球口に対応する前記通過障害部とを配置した
ことを特徴とする請求項１〜５の何れかに記載の弾球遊技機。
【請求項７】
前記遊技盤に装着されるユニット上に、
複数の前記入球口と、
振り分け入球口と、
前記振り分け入球口に入球した遊技球を複数の前記入球口にそれぞれ案内する複数の案内通路と、
前記振り分け入球口に入球した遊技球を複数の前記案内通路に振り分ける振り分け手段とを設け、
前記案内通路の下流側端部と前記入球口との間に、遊技球１個分以上の隙間を設け、
前記隙間に対応して前記通過障害部を配置した
ことを特徴とする請求項１〜６の何れかに記載の弾球遊技機。
【請求項８】
前記振り分け手段を、駆動手段の駆動により、前記振り分け入球口を複数の前記案内通路に択一的に連通させる複数の振り分け姿勢に変化可能な可動体により構成したことを特徴とする請求項７に記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機に対しては古くから様々なゴト行為による被害が報告されており、各遊技機メーカーは新種のゴト行為が報告される度にその対策を講じてきた。例えば多くの弾球遊技機では、ガラス越しに磁石を使って遊技球を特定の入賞口に誘導する、いわゆる磁石ゴトへの対策として遊技盤上等に１又は複数の磁気センサが配置されており、この磁気センサによる検知信号に基づいて異常報知を行うようになっている（例えば特許文献１）。
【先行技術文献】
【特許文献】
【０００３】
【特許文献１】特開２０１２−０４０２０３号公報
【発明の概要】
【発明が解決しようとする課題】
【０００４】
ところで、磁気センサは各入賞口の近傍にそれぞれ配置するのが理想的であるが、コストや配置スペース等の制約により、実際には複数の入賞口に対して１つの磁気センサを配置する場合が多い。また、例えば電磁ソレノイドからの磁気の影響を排除するために磁気センサは電磁ソレノイドから離して配置しなければならないなどの制約もある。
【０００５】
このような理由により、各入賞口及びその周辺部分については磁気センサからの距離の違いによって検知強度にムラが生じ、例えば磁気センサから遠い場所では十分に強力な磁石しか検知できない可能性があった。即ち、例えば磁気センサから最も遠い入賞口に対して、磁気センサに対する反対側から、その磁気センサが検知できない程度の弱い磁石を用いて遊技球を誘導した場合、そのゴト行為は見逃されてしまう可能性があった。
【０００６】
本発明は上記事情に鑑みてなされたものであり、弱い磁石を用いたゴト行為を防止すると共に、各入賞口（入球口）及びその周辺部に磁気センサを設ける場合にはその磁気センサから遠い場所でのゴト行為についても効果的に検知できる弾球遊技機を提供することを目的とする。
【課題を解決するための手段】
【０００７】
本発明は、略上向きに開口する入球口４１，４２を、遊技盤５の前側の遊技領域１５内に配置した弾球遊技機において、前記入球口４１，４２の左右一方側を経て前記入球口４１，４２の上側の上部領域に至る経路上に、遊技球が通過可能な範囲でその経路の前部側を狭める通過障害部８７ｂ，８７ｃ，８８ａ，８８ｂ，１３５ｂ，１３５ｃ，１３６ａ，１３６ｂを配置したものである。
【０００８】
また、前記経路の前側に前記遊技盤５と略平行な前カバー８０を配置し、前記通過障害部８７ｂ，８７ｃ，８８ａ，８８ｂ，１３５ｂ，１３５ｃ，１３６ａ，１３６ｂを前記前カバー８０に後向き突出状に設けてもよい。
【０００９】
前記通過障害部８７ｂ，８７ｃ，１３５ｂ，１３５ｃを、前記入球口４１，４２の側端部に対応してその上側に配置してもよい。
【００１０】
また、前記通過障害部８８ａ，８８ｂ，１３６ａ，１３６ｂを、前記入球口４１，４２の側方に配置してもよい。この場合、２つの前記入球口４１，４２を遊技球が通過可能な間隔を挟んで左右に配置し、それら２つの入球口４１，４２の間に前記通過障害部８８ａ，８８ｂ，１３６ａ，１３６ｂを配置してもよい。
【００１１】
前記遊技盤５に装着され且つ所定の可動体５４を駆動する駆動手段５５を備えたユニット１７上に、前記入球口４１，４２と、該入球口４１，４２に対応する前記通過障害部８７ｂ，８７ｃ，８８ａ，８８ｂ，１３５ｂ，１３５ｃ，１３６ａ，１３６ｂとを配置してもよい。
【００１２】
また、前記遊技盤５に装着されるユニット１７上に、複数の前記入球口４１，４２と、振り分け入球口５１と、前記振り分け入球口５１に入球した遊技球を複数の前記入球口４１，４２にそれぞれ案内する複数の案内通路５２，５３と、前記振り分け入球口５１に入球した遊技球を複数の前記案内通路５２，５３に振り分ける振り分け手段５４とを設け、前記案内通路５２，５３の下流側端部と前記入球口４１，４２との間に、遊技球１個分以上の隙間８３ａ〜８３ｄを設け、前記隙間８３ａ〜８３ｄに対応して前記通過障害部８７ｂ，８７ｃ，１３５ｂ，１３５ｃを配置してもよい。
【００１３】
この場合、前記振り分け手段５４を、駆動手段５５の駆動により、前記振り分け入球口５１を複数の前記案内通路５２，５３に択一的に連通させる複数の振り分け姿勢に変化可能な可動体５４により構成してもよい。
【発明の効果】
【００１４】
本発明によれば、弱い磁石を用いたゴト行為を防止することができると共に、各入球口及びその周辺部に磁気センサを設ける場合にはその磁気センサから遠い場所でのゴト行為についても効果的に検知できる。
【図面の簡単な説明】
【００１５】
【図１】本発明の一実施形態におけるパチンコ機の全体正面図である。
【図２】同パチンコ機における中央始動入賞ユニットの前側からの斜視図である。
【図３】同パチンコ機における中央始動入賞ユニットの後側からの斜視図である。
【図４】同パチンコ機における中央始動入賞ユニットの分解斜視図である。
【図５】同パチンコ機における中央始動入賞ユニットの正面断面図である。
【図６】同パチンコ機における中央始動入賞ユニットのＡ−Ａ断面図である。
【図７】同パチンコ機における中央始動入賞ユニットのＢ−Ｂ断面図である。
【図８】同パチンコ機における中央始動入賞ユニットのＣ−Ｃ断面図である。
【図９】同パチンコ機における制御系のブロック図である。
【図１０】同パチンコ機における遊技状態毎の普通図柄の当たり確率及び変動時間、開閉式始動入賞手段の開閉パターンを示す図である。
【図１１】同パチンコ機における特別図柄毎の確変／時短遊技状態選択テーブルの一例を示す図である。
【図１２】通過障害部の他の設置例を示す中央始動入賞ユニットの斜視図である。
【図１３】通過障害部の他の設置例を示す中央始動入賞ユニットの正面断面図である。
【発明を実施するための形態】
【００１６】
以下、本発明の実施形態を図面に基づいて詳述する。図１〜図１１は本発明をパチンコ機に採用した一実施形態を例示している。図１において、遊技機本体１は、矩形状の外枠２と、この外枠２の左右一側、例えば左側のヒンジ３を介して縦軸心廻りに開閉及び着脱自在に枢着された内枠４とを備えている。
【００１７】
内枠４には、その上部側に遊技盤５等が、下部側に発射手段６等が夫々配置されており、その内枠４の前側には、遊技盤５の前側を覆うガラス扉７と、そのガラス扉７の下側で発射手段６等の前側を覆う下部開閉扉８とがヒンジ３と同じ側のヒンジ９により開閉及び着脱自在に枢着されている。ガラス扉７には、遊技盤５の前面側の遊技領域１５に対応するガラス窓１０に例えば２枚のガラス板１０ａ（図８）が装着され、また下部開閉扉８には、払い出し手段（図示省略）から払い出された遊技球を貯留して発射手段６に供給する上皿１１、その上皿１１が満杯のときに余剰球を貯留する下皿１２、発射手段６を作動させるために操作する発射ハンドル１３等が設けられている。
【００１８】
遊技盤５には、発射手段６から発射された遊技球を案内するガイドレール１４が環状に装着されると共に、そのガイドレール１４の内側の遊技領域１５に、中央表示ユニット１６、中央始動入賞ユニット１７、右始動入賞ユニット１８、大入賞ユニット１９、普通入賞ユニット２０等のユニット部品の他、多数の遊技釘（図示省略）が配置されている。また、それら複数のユニット部品１６〜２０上に、画像表示手段２１、普通図柄表示手段２２、普通保留個数表示手段２３、第１特別図柄表示手段２４ａ、第２特別図柄表示手段２４ｂ等の各種表示手段の他、普通図柄始動手段２５、振り分け始動入賞手段２６、開閉式始動入賞手段２７、大入賞手段２８、複数（ここでは３個）の普通入賞手段２９等が設けられている。なお、画像表示手段２１は、例えば液晶表示手段で、第１，第２演出図柄表示手段３１ａ，３１ｂ、第１，第２特別保留個数表示手段３２ａ，３２ｂ等を構成している。
【００１９】
中央表示ユニット１６は、画像表示手段２１の表示枠を構成するもので、例えば遊技領域１５の左右方向略中央における上部側に配置されており、遊技盤５の裏側に固定される画像表示手段２１に対応して遊技盤５の前側に着脱自在に固定されている。この中央表示ユニット１６は、遊技盤５の前面側に当接し且つ固定ねじ等により遊技盤５に固定される前面装着板３３と、画像表示手段２１等に対応する内部領域１６ａを略取り囲むように例えば前面装着板３３の前側に突設される表示枠３４とを例えば一体に備えており、発射手段６により遊技領域１５の上部側に打ち込まれた遊技球は、表示枠３４の頂部で左右に振り分けられ、中央表示ユニット１６の左側の左流下経路３５ａと右側の右流下経路３５ｂとの何れかを流下するようになっている。
【００２０】
また、例えば表示枠３４上には、普通図柄表示手段２２、普通保留個数表示手段２３、第１特別図柄表示手段２４ａ、第２特別図柄表示手段２４ｂ等の表示手段の他、例えば左側部には左流下経路３５ａを流下する遊技球が入球可能なワープ入口３６が、画像表示手段２１の前側下部には、ワープ入口３６に入球した遊技球を左右方向に自由に転動させて左右方向中央の中央落下部３７又はその左右両側から落下させるステージ３８が夫々設けられている。
【００２１】
普通図柄表示手段２２は、普通図柄を変動表示するためのもので、例えば「○」「×」の２種類の普通図柄に対応する２個の発光体（例えばＬＥＤ）により構成されており、通過ゲート等よりなる普通図柄始動手段２５が遊技球を検出することを条件にそれら２つの発光体が所定時間交互に点滅して、普通図柄始動手段２５による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。普通図柄が変動後に当たり態様で停止すると、開閉式始動入賞手段２７が所定時間、所定回数だけ開放する普通利益状態が発生する。
【００２２】
また、普通図柄表示手段２２の変動表示中、又は普通利益状態中に普通図柄始動手段２５が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段２３がその発光個数により当たり判定乱数値の記憶個数（以下、普通保留個数）を表示して、その時点での普通保留個数を遊技者に報知するようになっている。
【００２３】
第１，第２特別図柄表示手段２４ａ，２４ｂは、夫々１個又は複数個、例えば各１個の第１，第２特別図柄を変動表示可能な７セグメント式等の表示手段により構成されており、第１特別図柄表示手段２４ａは振り分け始動入賞手段２６上の第１始動入賞口４１に遊技球が入賞することに基づいて、また第２特別図柄表示手段２４ｂは振り分け始動入賞手段２６上の第２始動入賞口４２と開閉式始動入賞手段２７との何れかに遊技球が入賞することに基づいて、夫々第１，第２特別図柄を所定時間変動表示して、それら第１始動入賞口４１，第２始動入賞口４２，開閉式始動入賞手段２７への入賞時に取得された大当たり判定乱数値が予め定められた大当たり判定値と一致する場合には所定の大当たり態様で、それ以外の場合には外れ態様で夫々停止するようになっている。第１，第２特別図柄の何れかが変動後に大当たり態様で停止すると、大入賞手段２８が例えば複数種類の開放パターンの何れかに従って開放する大当たり状態が発生する。
【００２４】
第１，第２特別図柄は、例えば数字図柄等ではなく、それ自体としては特別な意味を持たない線と点の組み合わせ等よりなる複数種類の図柄で構成され、それらの図柄のうちの１又は複数が大当たり態様、それ以外が外れ態様に設定されている。
【００２５】
また、第１，第２特別図柄の変動表示中、又は大当たり状態中に第１，第２始動入賞口４１，４２，開閉式始動入賞手段２７に遊技球が入賞した場合には、その入賞時に取得された大当たり判定乱数値等が夫々所定の上限保留個数、例えば各４個を限度として記憶されると共に、第１，第２特別保留個数表示手段３２ａ，３２ｂが夫々大当たり判定乱数値の記憶個数（以下、第１，第２特別保留個数）を表示して、その時点での第１，第２特別保留個数を遊技者に報知するようになっている。
【００２６】
なお本実施形態では、大当たり状態中には第１，第２特別図柄表示手段２４ａ，２４ｂの図柄変動を開始しない他、第１，第２特別図柄表示手段２４ａ，２４ｂの何れか一方の図柄変動中には他方の図柄変動を開始せず、両方が同時に変動中となることはないように制御される。更に、第１，第２特別保留個数が共に１以上である場合には、第１特別図柄表示手段２４ａの図柄変動よりも第２特別図柄表示手段２４ｂの図柄変動を優先して行うように構成されている。
【００２７】
第１，第２演出図柄表示手段３１ａ，３１ｂは、例えば第１，第２特別図柄表示手段２４ａ，２４ｂによる第１，第２特別図柄の変動表示と時間的に同調して第１，第２演出図柄を変動表示するもので、夫々１個又は複数個、例えば左右方向に３個の第１，第２演出図柄を例えば各種の演出画像と共に画像表示手段２１の表示画面２１ａに変動表示可能に構成されており、第１演出図柄表示手段３１ａは振り分け始動入賞手段２６上の第１始動入賞口４１に遊技球が入賞することに基づいて、また第２演出図柄表示手段３１ｂは振り分け始動入賞手段２６上の第２始動入賞口４２と開閉式始動入賞手段２７との何れかに遊技球が入賞することに基づいて、夫々第１，第２特別図柄の変動開始と同時に所定の変動パターンに従って第１，第２演出図柄の変動を開始すると共に、第１，第２特別図柄の変動停止と同時に最終停止するように、第１，第２演出図柄を左、右、中等の所定の順序で停止させるようになっている。
【００２８】
なお、上述したように第１，第２特別図柄表示手段２４ａ，２４ｂは同時に変動することはないため、表示画面２１ａ上で第１，第２演出図柄表示手段３１ａ，３１ｂが同時に図柄変動表示を行うことはない。また第１，第２演出図柄表示手段３１ａ，３１ｂは、第１，第２特別図柄の変動内容とは直接関係のない演出を行う場合があってもよい。
【００２９】
第１，第２演出図柄には、例えば「０」〜「９」の１０種類の数字図柄が用いられ、「６・６・６」「７・７・７」等、３つの図柄が全て同じ図柄で揃ったものが大当たり態様、少なくとも１つの図柄が異なるものが外れ態様となっている。また、第１，第２演出図柄表示手段３１ａ，３１ｂによる第１，第２演出図柄の変動後の停止図柄は、第１，第２特別図柄表示手段２４ａ，２４ｂによる第１，第２特別図柄が大当たり態様で停止する場合には大当たり態様となり、第１，第２特別図柄が外れ態様で停止する場合には任意の外れ態様となる。
【００３０】
第１，第２特別保留個数表示手段３２ａ，３２ｂは、第１，第２特別保留個数分の第１，第２保留表示画像Ｘ，Ｙの表示個数により第１，第２特別保留個数を表示するもので、同一の表示画面２１ａ上の所定部分、例えば下部側に、第１，第２保留個数分の第１，第２保留表示画像Ｘ，Ｙを互いに上下に対応させて表示するようになっている。
【００３１】
大入賞ユニット１９は、例えば遊技領域１５の下部右側にガイドレール１４に沿って配置され、普通図柄始動手段２５、大入賞手段２８、磁気センサ４３等が設けられている。
【００３２】
普通図柄始動手段２５は、遊技球が通過可能な通過ゲートにより構成され、例えば大入賞ユニット１９の右上部に配置されており、左流下経路３５ａを流下してきた遊技球よりも右流下経路３５ｂを流下してきた遊技球の方が圧倒的に高い確率で通過可能となっている。なお、この普通図柄始動手段２５が遊技球を検出することに基づいて普通図柄表示手段２２による普通図柄変動が行われる。
【００３３】
また、大入賞手段２８は、遊技盤５の前面に沿って前向きに開口する横長矩形状の大入賞口４４、この大入賞口４４を遊技球が入賞不可能な閉状態と入賞容易な開状態とに切り替え可能な開閉板４５等を備え、例えば大入賞ユニット１９の下部左側に配置されており、左流下経路３５ａを流下してきた遊技球よりも右流下経路３５ｂを流下してきた遊技球の方が高い確率で入賞可能となっている。なお、大入賞口４４に遊技球が入賞すると、１入賞当たり所定個数の遊技球が賞球として払い出される。
【００３４】
磁気センサ４３は、磁石を用いたゴト行為を未然に防止すべく配置されるもので、例えば大入賞手段２８の左下に対応して大入賞ユニット１９の後側に装着されている。
【００３５】
右始動入賞ユニット１８は、例えば中央表示ユニット１６と大入賞ユニット１９とで上下に挟まれた位置に配置され、開閉式始動入賞手段２７が設けられている。開閉式始動入賞手段２７は、左右両側に開口する一対の入賞口４６、この入賞口４６を遊技球が入賞不可能な閉状態と入賞容易な開状態とに切り替え可能な左右一対の開閉手段４７等を備え、例えば大入賞手段２８の上側で且つ普通図柄始動手段２５の左側に配置されており、左流下経路３５ａを流下してきた遊技球よりも右流下経路３５ｂを流下してきた遊技球の方が高い確率で入賞可能となっている。なお、開閉式始動入賞手段２７に遊技球が入賞することに基づいて、第２特別図柄表示手段２４ｂによる第２特別図柄の変動が行われると共に、１入賞当たり所定個数の遊技球が賞球として払い出される。
【００３６】
普通入賞ユニット２０は、例えば遊技領域１５の下部左側にガイドレール１４に沿って配置されている。この普通入賞ユニット２０上には、複数（ここでは３個）の普通入賞手段２９が、例えばガイドレール１４の内側に沿って斜め略一列状に配列されており、右流下経路３５ｂを流下してきた遊技球よりも左流下経路３５ａを流下してきた遊技球の方が高い確率で入賞可能となっている。なお、普通入賞手段２９に遊技球が入賞すると、１入賞当たり所定個数の遊技球が賞球として払い出される。
【００３７】
中央始動入賞ユニット１７は、遊技領域１５の中央下部、即ち中央表示ユニット１６の下側で且つ普通入賞ユニット２０と大入賞ユニット１９との間に配置されており、振り分け始動入賞手段２６、磁気センサ５０等が設けられている。振り分け始動入賞手段２６は、図５等に示すように、ステージ３８の中央落下部３７の下側に対応して上向きに開口する振り分け入球口５１と、この振り分け入球口５１の下側に配置された一対の第１，第２始動入賞口４１，４２と、振り分け入球口５１に入球した遊技球を第１始動入賞口４１と第２始動入賞口４２とにそれぞれ案内する第１，第２案内通路５２，５３と、振り分け入球口５１に入球した遊技球を第１，第２案内通路５２，５３に振り分ける振り分け可動体５４と、この振り分け可動体５４を駆動する振り分け駆動手段５５とを備えている。以下、この中央始動入賞ユニット１７の構成を、図２〜図８に基づいて詳細に説明する。
【００３８】
中央始動入賞ユニット１７は、図２〜図４等に示すように、遊技盤５に固定される台板６１と、この台板６１の前側に着脱自在に固定される前装着体６２と、台板６１の後側に着脱自在に固定される後装着体６３と、台板６１と後装着体６３との間に配置されるレンズ体６４，６５及び発光基板６６とを備えている。
【００３９】
台板６１は、遊技盤５の前面に沿って配置され、ねじ止め等により着脱自在に固定されている。この台板６１には、振り分け入球口５１に対応して上端部前面側に略球面状の凹部６７が形成され、またその下側には、振り分け可動体５４を揺動自在に保持・案内する可動体保持案内部６８が形成されている。可動体保持案内部６８には、軸保持穴６８ａ、この軸保持穴６８ａの下側に円弧状に形成されたガイド孔６８ｂ、振り分け可動体５４の可動範囲の下部外縁に沿って前向きに突設された囲いリブ６８ｃ等が設けられている。
【００４０】
この可動体保持案内部６８の前側に配置される振り分け可動体（振り分け手段）５４は、前後方向の円筒状に形成された回転軸保持部５４ａと、この回転軸保持部５４ａの下側に一体に形成され且つ前後方向の円筒状に形成された駆動軸保持部５４ｂと、回転軸保持部５４ａの外周面から駆動軸保持部５４ｂとは反対側に突設された軸上案内部５４ｃと、駆動軸保持部５４ｂの外周面から回転軸保持部５４ａとは反対側に突設された軸下案内部５４ｄと、回転軸保持部５４ａに対して前後に突出するように嵌入された回転軸６９と、駆動軸保持部５４ｂに対して後端側が大きく突出するように嵌入された駆動軸７０とで構成されており、駆動軸７０の後端側をガイド孔６８ｂ内を経て台板６１の後側に突出させた状態で、回転軸６９の前後両端部が前装着体６２側の軸保持部７１と台板６１上の軸保持穴６８ａとで回転自在に保持されている。
【００４１】
また、台板６１の下部側には、一対の第１，第２入賞球排出口７２，７３が、前後方向の貫通状に形成されている。第１，第２入賞球排出口７２，７３は、第１，第２始動入賞口４１，４２に入賞した遊技球をそれぞれ遊技盤５の後側に排出するためのもので、右側の第１入賞球排出口７２とその左側の第２入賞球排出口７３とは遊技球１個分よりも大きな間隔を空けて配置されている。また、台板６１の裏側には、第１，第２入賞球排出口７２，７３を経て台板６１の後側に排出された遊技球を遊技盤５の裏側まで後向きに案内する第１，第２傾斜通路部７４，７５が例えば一体に突設されている。
【００４２】
更に台板６１上には、可動体保持案内部６８とその下側の第１，第２入賞球排出口７２，７３とに挟まれた横長状の領域に上レンズ窓７６が、第１，第２入賞球排出口７２，７３の間から下側にかけての凸字状の領域に下レンズ窓７７がそれぞれ開口状に形成されており、上レンズ窓７６に上レンズ体６４が、下レンズ窓７７に下レンズ体６５がそれぞれ後側から装着されている。
【００４３】
上下のレンズ体６４，６５は、台板６１の前面と略面一となるように上下のレンズ窓７６，７７に嵌め込まれ且つ裏面等に乱反射処理が施されたレンズ板６４ａ，６５ａと、このレンズ板６４ａ，６５ａの外縁に沿って後向きに突設された周壁６４ｂ，６５ｂとを一体に備えている。
【００４４】
また、上レンズ体６４のレンズ板６４ａには、その前面側に一対の突条部７８，７９が例えば一体に形成されている。突条部７８，７９は、それぞれ第１，第２入賞球排出口７２，７３に対応してその上側に上下方向に設けられており、例えばそれぞれの上端部に、他の部分（下部側）よりも前側に大きく突出する前案内部（凸部）７８ａ，７９ａが形成されている。それら前案内部７８ａ，７９ａの上面側は例えば前下がりの傾斜状に、下面側は例えば後ろ下がりの傾斜状にそれぞれ形成されている。
【００４５】
前装着体６２は、台板６１の前側に振り分け入球口５１、第１，第２案内通路５２，５３、第１，第２始動入賞口４１，４２等を形成するもので、台板６１の前側に遊技球が１個通過可能な間隔で平行に配置された略平板状の前カバー８０と、この前カバー８０と台板６１との間に配置され且つ振り分け入球口５１を構成する左右一対の入球口側壁５１ａ，５１ｂと、同じく前カバー８０と台板６１との間に配置され且つ第２案内通路５３を構成する左右の第２案内通路側壁５３ａ，５３ｂと、同じく前カバー８０と台板６１との間に配置され且つ第１案内通路５２を構成する左右の第１案内通路側壁５２ａ，５２ｂと、同じく前カバー８０と台板６１との間に配置される第１，第２始動入賞口４１，４２と、例えば右第２案内通路側壁５３ｂと左第１案内通路側壁５２ａとの間に例えば略水平に設けられ且つ振り分け可動体５４の下側を略覆う下カバー壁８１とを例えば一体に備えている。
【００４６】
入球口側壁５１ａ，５１ｂは、図５等に示すように、台板６１上の凹部６７に対応してその上部側左右に上下方向に配置されており、その上部側が振り分け入球口５１となっている。
【００４７】
第１，第２始動入賞口（入球口）４１，４２は、台板６１上の第１，第２入賞球排出口７２，７３に対応してその前側に配置され、例えば正面視略Ｕ字型の樋状に形成されて上向きに開口している。第１，第２始動入賞口４１，４２内の底部には、後ろ下がりの傾斜状に形成された傾斜案内部８２が例えば一体に設けられており、第１，第２始動入賞口４１，４２に入球した遊技球はこの傾斜案内部８２に案内されて後側の第１，第２入賞球排出口７２，７３内に流入する。
【００４８】
第１案内通路５２と第２案内通路５３とは、それぞれ長手方向中間部付近で滑らかに屈曲しており、下流側端部はそれぞれ第１，第２始動入賞口４１，４２の上側で下向きに開口し、上流側端部は可動体保持案内部６８を経て振り分け入球口５１の下流端側に例えば斜めに接続されている。即ち、左第２案内通路側壁５３ａと右第１案内通路側壁５２ｂとは、その上流側端部がそれぞれ入球口側壁５１ａ，５１ｂの下側に連結されており、右第２案内通路側壁５３ｂと左第１案内通路側壁５２ａとは、その上流側端部がそれぞれ可動体保持案内部６８の左右両側に配置されている。
【００４９】
振り分け入球口５１に入球した遊技球は、その振り分け入球口５１の下側に配置された振り分け可動体５４によって振り分けられ、第１，第２案内通路５２，５３の何れかを流下する。ここで、振り分け可動体５４は、振り分け入球口５１と第１案内通路５２とを連通させる「第１振り分け姿勢」（図５に実線で示す）と、振り分け入球口５１と第２案内通路５３とを連通させる「第２振り分け姿勢」（図５に一点鎖線で示す）とに切り替え可能となっている。なお、振り分け可動体５４の回転軸６９の前端部を保持する軸保持部７１は、前カバー８０上に一体に設けられている。
【００５０】
第１振り分け姿勢は、右第１案内通路側壁５２ｂの上流側と略平行な右下がりの傾斜状で、上端側の軸上案内部５４ｃが第２案内通路５３側の入口を遊技球通過不能な状態に閉鎖するようになっている。また、第２振り分け姿勢は、左第２案内通路側壁５３ａの上流側と略平行な左下がりの傾斜状で、上端側の軸上案内部５４ｃが第１案内通路５２側の入口を遊技球通過不能な状態に閉鎖するようになっている。
【００５１】
また、第１，第２始動入賞口４１，４２と、その上側の第１，第２案内通路５２，５３の下流側端部とは、遊技球が通過可能な隙間を挟んで上下に対向している。即ち、左第２案内通路側壁５３ａの下流側端部と第２始動入賞口４２の左上縁部４２ａとの間、右第２案内通路側壁５３ｂの下流側端部と第２始動入賞口４２の右上縁部４２ｂとの間、左第１案内通路側壁５２ａの下流側端部と第１始動入賞口４１の左上縁部４１ａとの間、右第１案内通路側壁５２ｂの下流側端部と第１始動入賞口４１の右上縁部４１ｂとの間には、それぞれ遊技球が通過可能な隙間８３ａ〜８３ｄが設けられている。
【００５２】
前カバー８０は、少なくとも振り分け入球口５１、第１，第２案内通路５２，５３、第１，第２始動入賞口４１，４２、振り分け可動体５４の前側を覆う大きさに形成されており、例えば内部の様子が前側から視認可能となるように少なくとも一部が透明に形成されている。前カバー８０の背面側には、台板６１上の凹部６７に対応する凸部８４と、上レンズ体６４上の前案内部７８ａ，７９ａに対応する凹部８５，８６と、隙間８３ｂ，８３ｃに対応する縦突条部（通過障害部）８７ｂ，８７ｃと、第１，第２始動入賞口４１，４２の間に対応する例えば二つの横突条部（通過障害部）８８ａ，８８ｂとが設けられている。
【００５３】
凸部８４は、台板６１側の凹部６７と共に、振り分け入球口５１に入球した遊技球を減速させるためのもので、凹部６７の略中央部に対応してその前側に設けられており、例えばその上面側は後ろ下がりの傾斜状に、下面側は前下がりの傾斜状にそれぞれ形成されている。振り分け入球口５１に入球した遊技球は、図６に示すように、凸部８４と凹部６７とに案内されて後側に蛇行し、その際に減速して低速で振り分け可動体５４に衝突するため、振り分け可動体５４が受ける衝撃が緩和される。なお、凸部８４を台板６１側（振り分け入球口５１の背壁における前面側）に、凹部６７を前カバー８０側（振り分け入球口５１の前壁における背面側）に設けてもよいが、この場合、台板６１側にメッキ等による装飾を施している場合、遊技球の衝突により凸部８４の装飾が剥がれてしまう恐れがある。また、凹部６７を省略し、凸部８４のみを設けてもよい。
【００５４】
凹部８５，８６は、上レンズ体６４上の前案内部７８ａ，７９ａと共に、遊技球の流下経路を前後方向に蛇行させるためのもので、例えば前案内部７８ａ，７９ａの前側が略中心となる略球面状に形成されている。凹部８５，８６及び前案内部７８ａ，７９ａは、例えば第１，第２案内通路５２，５３の下流側端部に対応する位置に配置されている。なお、前案内部７８ａ，７９ａと同様の凸部を前カバー８０側（第１，第２案内通路５２，５３等の前壁における背面側）に、凹部８５，８６を上レンズ体６４側（第１，第２案内通路５２，５３等の背壁における前面側）に設けてもよい。
【００５５】
縦突条部（通過障害部）８７ｂ，８７ｃは、遊技球が通過可能な範囲で隙間８３ｂ，８３ｃの前部側を狭めることにより、磁石を用いた遊技球の誘導を妨害するためのもので、隙間８３ｂ，８３ｃの少なくとも一部（ここでは上部側の略２／３の範囲）に対応して上下方向に配置され、前カバー８０の背面側に一体に形成されている。
【００５６】
また、横突条部（通過障害部）８８ａ，８８ｂは、遊技球が通過可能な範囲で第１，第２始動入賞口４１，４２間の隙間の前部側を狭めることにより、磁石を用いた遊技球の誘導を妨害するためのもので、所定間隔を空けて上下に配置されており、第１，第２始動入賞口４１，４２間の少なくとも一部（ここでは中央側の略１／２の範囲）に対応してそれぞれ左右方向に配置され、前カバー８０の背面側に一体に形成されている。
【００５７】
本実施形態のパチンコ機で、ガラス板１０ａ越しに磁石を用いて遊技球を遊技領域１５の下部側から第１，第２始動入賞口４１，４２に誘導する不正行為（磁石ゴト）を行う場合、第１，第２始動入賞口４１，４２の間から隙間８３ｃ，８３ｂを経て第１，第２始動入賞口４１，４２の上部領域に至る中央経路と、第１始動入賞口４１の右側から隙間８３ｄを経て第１始動入賞口４１の上部領域に至る右側経路と、第２始動入賞口４２の左側から隙間８３ａを経て第２始動入賞口４２に至る左側経路とが存在する。ここで、本実施形態では、左側経路を利用した磁石ゴトに対してはこの中央始動入賞ユニット１７上に配置された磁気センサ５０（図１等参照）により、また右側経路を利用した磁石ゴトに対しては隣の大入賞ユニット１９上の磁気センサ４３（図１参照）により、それぞれ略確実に検知可能であるため、何れの磁気センサ４３，５０からも遠い中央経路に対応して横突条部８８ａ，８８ｂ、縦突条部８７ｂ，８７ｃを設けている。
【００５８】
発光基板６６は、上レンズ体６４の後側に配置される上部ＬＥＤ６６ａと、下レンズ体６５の後側に配置される下部ＬＥＤ６６ｂとを前面側に備え、上下のレンズ体６４，６５の後側から例えば台板６１に対してねじ止め等により着脱自在に固定されている。
【００５９】
後装着体６３は、振り分け駆動手段５５及び駆動レバー９０を保持する駆動ケース９１と、第１，第２傾斜通路部７４，７５によって後向きに案内されてきた遊技球を遊技盤５の後側で例えば下向きに排出する第１，第２排出通路部９２，９３と、第１，第２遊技球検出手段９４，９５を保持するセンサ保持部９４ａ，９５ａと、磁気センサ５０を保持する磁気センサ保持部５０ａとを例えば一体に備えており、台板６１の後側にねじ止め等により着脱自在に装着されている。
【００６０】
第１，第２遊技球検出手段９４，９５は、第１，第２始動入賞口４１，４２に入賞した遊技球を検出するもので、センサ保持部９４ａ，９５ａにより、例えば第１，第２排出通路部９２，９３の下流端側に配置されている。
【００６１】
駆動レバー９０は、振り分け駆動手段５５の駆動力を振り分け可動体５４に伝達するためのもので、例えば下端側に前後方向の揺動軸９０ａが、上端側に振り分け可動体５４側の駆動軸７０が係合する係合部９０ｂがそれぞれ設けられると共にその長手方向に沿って鉄板９０ｃが固定されており、揺動軸９０ａ廻りに、振り分け可動体５４の第１振り分け姿勢に対応する第１駆動姿勢と、同じく第２振り分け姿勢に対応する第２駆動姿勢との間で揺動可能となっている。なお、駆動レバー９０は、コイルバネ等の付勢手段（図示省略）により第１駆動姿勢側に弾性付勢されているものとする。
【００６２】
振り分け駆動手段５５は、例えばマグネットコイルにより構成されており、ＯＮ時には、付勢手段による付勢力に抗して駆動レバー９０上の鉄板９０ｃを吸着し、駆動レバー９０を第１駆動姿勢から第２駆動姿勢に揺動させるようになっている。これにより、振り分け可動体５４は、振り分け駆動手段５５がＯＦＦの状態では第１振り分け姿勢に保持され、振り分け駆動手段５５がＯＮになったときに、第１振り分け姿勢から第２振り分け姿勢に切り替えられる。
【００６３】
磁気センサ５０は、大入賞ユニット１９上の磁気センサ４３の配置位置を考慮して、例えば第２遊技球検出手段９５の左下に配置され、磁気センサ保持部５０ａにより着脱自在に保持されている。なお、磁気センサ５０はマグネットコイル等の影響を受けるため、誤検出を排除すべく、振り分け駆動手段５５からはなるべく離れた位置に配置することが望ましい。
【００６４】
なお、本実施形態のパチンコ機では、ワープ入口３６からステージ３８を経て振り分け入球口５１に入球するルートが存在すること等により、右流下経路３５ｂを流下してきた遊技球よりも左流下経路３５ａを流下してきた遊技球の方が高い確率で振り分け入球口５１に入球可能であるとする。
【００６５】
図９は本パチンコ機の制御系のブロック図である。図９において、１０１は主制御基板、１０２は演出制御基板で、これら各制御基板１０１，１０２は、遊技盤５に装着された中央表示ユニット１６、その他の複数個の遊技部品を裏側から一括して覆う裏カバーの裏側等、内枠４及び遊技盤５を含む遊技機本体１の裏側の適宜箇所に着脱自在に装着された基板ケースに夫々収納されている。
【００６６】
主制御基板１０１は、主に遊技盤５側の遊技動作に関わる制御を行うためのもので、ＣＰＵ，ＲＯＭ，ＲＡＭ等により構成される普通乱数作成処理手段１１１、普通始動口チェック処理手段１１２、普通乱数記憶手段１１３、普通図柄処理手段１１４、普通図柄表示制御手段１１５、普通利益状態発生手段１１６、第１，第２特別乱数作成処理手段１２１ａ，１２１ｂ、第１，第２特別始動口チェック処理手段１２２ａ，１２２ｂ、第１，第２特別乱数記憶手段１２３ａ，１２３ｂ、第１，第２特別図柄処理手段１２４ａ，１２４ｂ、第１，第２特別図柄表示制御手段１２５ａ，１２５ｂ、大当たり状態発生手段１２６、確変遊技状態発生手段１２７、時短遊技状態発生手段１２８、制御コマンド送信手段１２９等を備えている。
【００６７】
普通乱数作成処理手段１１１は、変動後の普通図柄を当たり態様とするか否かの判定に用いる当たり判定乱数等を所定時間毎に繰り返し発生するように構成されている。普通始動口チェック処理手段１１２は、普通図柄始動手段２５による遊技球の検出に基づく処理を行うもので、普通図柄始動手段２５が遊技球を検出することに基づいて、普通乱数作成処理手段１１１で作成された当たり判定乱数値を１個取得し、その当たり判定乱数値を予め定められた上限保留個数（例えば４個）を限度として普通乱数記憶手段１１３に記憶させるように構成されている。
【００６８】
普通図柄処理手段１１４は、普通図柄の変動表示に関する処理を行うもので、普通図柄表示手段２２が変動表示可能な状態となり且つ普通乱数記憶手段１１３に１個以上の当たり判定乱数値が記憶されていること（普通保留個数が１以上であること）を条件に、普通乱数記憶手段１１３に最も早く記憶された当たり判定乱数値を取り出し、その当たり判定乱数値が予め定められた当たり判定値と一致するか否かに応じて当たり／外れの判定を行う当たり判定機能、当たり／外れの判定結果に基づいて普通図柄の変動後の停止図柄の種類を選択する普通停止図柄選択機能、普通図柄の変動時間を選択する変動時間選択機能等を備えている。
【００６９】
なお本実施形態では、図１０に示すように、後述する時短遊技状態中（以下、高ベース時という）の当たり確率（例えば１／１．３）が、時短遊技状態中以外（以下、低ベース時という）の当たり確率（例えば１／１０）よりも高く設定され、また高ベース時の変動時間（例えば２．７秒）が低ベース時の変動時間（例えば２７秒）よりも短くなるように設定されている。
【００７０】
普通図柄表示制御手段１１５は、普通図柄処理手段１１４による普通図柄処理に基づいて普通図柄表示手段２２の表示制御を行うもので、普通図柄表示手段２２が変動表示可能な状態となり且つ普通乱数記憶手段１１３に１個以上の当たり判定乱数値が記憶されていること（普通保留個数が１以上であること）を条件に普通図柄表示手段２２による普通図柄の変動を開始させ、普通図柄処理手段１１４で選択された変動時間が経過することに基づいて、同じく普通図柄処理手段１１４で選択された停止図柄で普通図柄の変動を停止させるようになっている。
【００７１】
普通利益状態発生手段１１６は、普通図柄処理手段１１４による判定結果が当たり判定となり、普通図柄表示手段２２の変動後の停止図柄が当たり態様となったときに、開閉式始動入賞手段２７の開閉手段４７を複数種類の開閉パターンの何れかに従って開状態に変化させるようになっている。本実施形態では、図１０に示すように、通常開閉パターン（例えば０．２秒×１回開放）と、この通常開閉パターンよりも開放時間及び／又は開放回数が大となるように設定された延長開閉パターン（例えば２秒×３回開放）の２種類の開閉パターンが設定されており、低ベース時には通常開閉パターンが、高ベース時には延長開閉パターンが選択されるようになっている。
【００７２】
第１，第２特別乱数作成処理手段１２１ａ，１２１ｂは、変動後の第１，第２特別図柄を大当たり態様とするか否かの判定に用いる大当たり判定乱数の他、変動後の特別図柄が大当たり態様となる場合の停止図柄の選択に用いる大当たり図柄乱数、特別図柄の変動パターンの選択に用いる変動パターン選択乱数、その他の所定の乱数を繰り返し発生する特別乱数作成処理を行うように構成されている。
【００７３】
第１，第２特別始動口チェック処理手段１２２ａ，１２２ｂは、第１，第２始動入賞口４１，４２，開閉式始動入賞手段２７への遊技球の入賞に基づく処理を行うもので、第１特別始動口チェック処理手段１２２ａは、第１始動入賞口４１に遊技球が入賞することに基づいて、第１特別乱数作成処理手段１２１ａで作成された大当たり判定乱数値、大当たり図柄乱数値を１個ずつ取得し、それら大当たり判定乱数値及び大当たり図柄乱数値を予め定められた上限保留個数（例えば各４個）を限度として第１特別乱数記憶手段１２３ａに記憶させ、また第２特別始動口チェック処理手段１２２ｂは、第２始動入賞口４２と開閉式始動入賞手段２７との何れかに遊技球が入賞することに基づいて、第２特別乱数作成処理手段１２１ｂで作成された大当たり判定乱数値、大当たり図柄乱数値を１個ずつ取得し、それら大当たり判定乱数値及び大当たり図柄乱数値を予め定められた上限保留個数（例えば各４個）を限度として第２特別乱数記憶手段１２３ｂに記憶させるように構成されている。
【００７４】
第１，第２特別図柄処理手段１２４ａ，１２４ｂは、第１，第２特別図柄の変動表示に関する処理を行うもので、第１，第２特別図柄表示手段２４ａ，２４ｂが変動表示可能な状態となり且つ第１，第２特別乱数記憶手段１２３ａ，１２３ｂに１個以上の大当たり判定乱数値が記憶されていること（第１，第２特別保留個数が１以上であること）を条件に、第１，第２特別乱数記憶手段１２３ａ，１２３ｂに最も早く記憶された大当たり判定乱数値を取り出し、その大当たり判定乱数値が予め定められた大当たり判定値と一致するか否かに応じて大当たり／外れの判定を行う大当たり判定機能、大当たり／外れの判定結果と、第１，第２特別乱数記憶手段１２３ａ，１２３ｂに大当たり判定乱数値と共に記憶されている大当たり図柄乱数値とに基づいて、第１，第２特別図柄の変動後の停止図柄を選択する特別停止図柄選択機能、大当たり／外れの判定結果に基づいて、第１，第２特別図柄の変動パターンとして複数種類の特別図柄変動パターンの中から１つを選択する第１，第２変動パターン選択機能等を備えている。
【００７５】
また、例えば大当たり状態中には第１，第２特別図柄表示手段２４ａ，２４ｂの図柄変動を開始しない他、第１，第２特別図柄表示手段２４ａ，２４ｂの何れか一方の図柄変動中には他方の図柄変動を開始せず、両方が同時に変動中となることはないように制御され、且つ第１，第２特別保留個数が共に１以上である場合には、第１特別図柄表示手段２４ａの図柄変動よりも第２特別図柄表示手段２４ｂの図柄変動を優先するように制御される。
【００７６】
第１，第２特別図柄表示制御手段１２５ａ，１２５ｂは、第１，第２特別図柄表示手段２４ａ，２４ｂの表示制御を行うもので、第１特別図柄処理手段１２４ａ又は第２特別図柄処理手段１２４ｂによる特別図柄処理に基づいて、第１特別図柄表示手段２４ａ又は第２特別図柄表示手段２４ｂによる第１，第２特別図柄の変動を開始させると共に所定の第１，第２変動パターンに対応する変動時間が経過することに基づいて所定の停止図柄で第１，第２特別図柄の変動を停止させるようになっている。
【００７７】
大当たり状態発生手段１２６は、大入賞手段２８を所定の開放パターンに従って開放する大当たり状態を発生させるためのもので、第１，第２特別図柄処理手段１２４ａ，１２４ｂによる大当たり／外れの判定結果が大当たり判定となり、第１，第２特別図柄の変動後の停止図柄が大当たり態様となることに基づいて、大入賞手段２８を所定の開放パターンに従って開放する大当たり状態を発生させるように構成されている。大当たり状態における大入賞手段２８の開放パターンは例えば複数種類用意されており、大当たり態様の種類に応じてそれらのうちの１つが選択されるようになっている。
【００７８】
本実施形態では、図１１に示すように、大入賞手段２８の開放パターンとして、３Ｒ開放パターンと１５Ｒ開放パターンの２種類が設けられており、大当たり状態発生手段１２６は、第１，第２特別図柄の停止図柄が大当たり態様１又は３の場合には３Ｒ開放パターンを、大当たり態様２又は４の場合には１５Ｒ開放パターンを夫々選択するようになっている。ここで、３Ｒ開放パターンは、大入賞手段２８を、開放してから所定時間（ここでは３０秒）経過するかそれまでに所定個数（例えば９個）の遊技球が入賞することを条件に閉鎖する開閉動作を３ラウンド繰り返すように設定されている。また、１５Ｒ開放パターンは、３Ｒ開放パターンと同様の開閉動作を１５ラウンド繰り返すように設定されている。
【００７９】
なお本実施形態では、大当たり状態における２種類の開放パターンの選択率は第１特別図柄と第２特別図柄とで全く同じとなっている。即ち、本実施形態では、１回の大当たりによる賞球払出個数の期待値については第１特別図柄表示手段２４ａが変動する場合と第２特別図柄表示手段２４ｂが変動する場合とで差はない。
【００８０】
確変遊技状態発生手段１２７は、大当たり状態の発生後の所定期間に確変遊技状態を発生させるもので、例えば大当たり態様の種類に応じて、確変遊技状態を所定期間発生させ、又は発生させないようになっている。
【００８１】
確変遊技状態中は、それ以外の低確率状態中よりも大当たり判定値の数が増加することにより、第１，第２特別図柄が大当たり態様となる確率が低確率（例えば１／３５０）から高確率（例えば１／３５）に切り換えられるようになっている。本実施形態では、図１１に示すように、第１特別図柄と第２特別図柄の何れに関しても、低ベース時と高ベース時とに拘わらず、それらの遊技状態中に大当たり態様１又は２による大当たり状態が発生した場合にその終了後に確変遊技状態が発生し、例えば次の大当たり状態が発生するまで継続するようになっている。
【００８２】
時短遊技状態発生手段１２８は、大当たり状態の発生後の所定期間に時短遊技状態を発生させるもので、例えば大当たり態様の種類に応じて、時短遊技状態を所定期間発生させ、又は発生させないようになっている。
【００８３】
時短遊技状態中（即ち高ベース時）は、第１，第２特別図柄の変動時間が夫々通常変動時間よりも短い短縮変動時間に切り換えられる他、普通図柄に関して、図１０に示すように当たり確率が低確率（例えば１／１０）から高確率（例えば１／１．３）へ、変動時間が通常変動時間（例えば２７秒）から短縮変動時間（例えば２．７秒）へ、開閉式始動入賞手段２７の開閉手段４７の開閉パターンが通常開閉パターン（例えば０．２秒×１回開放）から延長開閉パターン（例えば２秒×３回開放）へ、夫々切り換えられるようになっている。なお本実施形態では、時短状態の継続期間が複数種類設けられており、第１，第２特別図柄が所定回数変動するまで、或いは次の大当たり状態が発生するまでの何れかに設定されている。
【００８４】
図１１の例では、第１特別図柄に関しては、低ベース時に発生する大当たり状態の終了後には大当たり態様の種類に拘わらず時短遊技状態は発生せず、高ベース時には、大当たり態様１又は２による大当たり状態が発生した場合にその終了後に次回大当たりまでの時短遊技状態が、大当たり態様３又は４による大当たり状態が発生した場合にその終了後に図柄が５５回変動するまでの時短遊技状態が発生するように設定されており、また第２特別図柄に関しては、低ベース時と高ベース時とに拘わらず、大当たり態様１又は２による大当たり状態が発生した場合にその終了後に次回大当たりまでの時短遊技状態が、大当たり態様３又は４による大当たり状態が発生した場合にその終了後に図柄が５５回変動するまでの時短遊技状態が発生するように設定されている。
【００８５】
以上のように、図１１の例では、第１特別図柄と第２特別図柄とで異なるのは、低ベース時に発生する大当たり状態の終了後の時短遊技状態の発生に関する設定内容だけであり、低ベース時に発生する大当たり状態の終了後には、第１特別図柄が大当たり態様となっても時短遊技状態は一切発生しないのに対し、第２特別図柄が大当たり態様となった場合にはその大当たり態様の種類に応じて一定期間の時短遊技状態が必ず発生するようになっている。時短遊技状態が発生すれば、開閉式始動入賞手段２７への遊技球の入賞が容易となり、また一定時間当たりの図柄変動回数が増加する等により、一定期間における賞球払出個数の期待値が増加し、遊技者にとってより有利な状態となる。即ち、本実施形態では、低ベース時に発生する大当たり状態の終了後における時短遊技状態の発生確率が第１特別図柄側よりも第２特別図柄側の方が高く設定されていることにより、第１特別図柄表示手段２４ａが変動する場合よりも第２特別図柄表示手段２４ｂが変動する場合の方が賞球払出個数の期待値が大きくなり、遊技者にとってより有利となっている。
【００８６】
制御コマンド送信手段１２９は、所定の制御コマンドを一方向通信により演出制御基板１０２等のサブ制御基板側に送信して制御指令を与えるためのもので、第１，第２特別図柄処理手段１２４ａ，１２４ｂによる第１，第２特別図柄処理に基づいて、第１，第２演出図柄の変動パターンを指定する変動パターン指定コマンド、第１，第２演出図柄の停止図柄を指定する停止図柄指定コマンド、第１，第２演出図柄の変動停止を指定する変動停止指定コマンド等を演出制御基板１０２側に送信する機能、第１，第２特別保留個数を指定する第１，第２特別保留個数指定コマンドを演出制御基板１０２側に送信する機能の他、遊技状態が変化する際に遊技状態コマンドを演出制御基板１０２側に送信する機能等を備えている。
【００８７】
演出制御基板１０２は、第１，第２演出図柄表示手段３１ａ，３１ｂ、第１，第２特別保留個数表示手段３２ａ，３２ｂ、音声出力手段１３１、ランプ手段１３２等の各種演出手段を制御するためのもので、特別保留個数表示制御手段１３３、演出図柄表示制御手段１３４等を備えている。
【００８８】
特別保留個数表示制御手段１３３は、第１，第２特別保留個数表示手段３２ａ，３２ｂの表示制御を行うもので、主制御基板１０１から送信される第１，第２特別保留個数指定コマンドに基づいて、画像表示手段２１の表示画面２１ａ上の所定位置に第１，第２特別保留個数分の第１，第２保留表示画像Ｘ，Ｙを表示するようになっている。
【００８９】
演出図柄表示制御手段１３４は、第１，第２演出図柄表示手段３１ａ，３１ｂの表示制御及びそれに伴う音声出力手段１３１、ランプ手段１３２等の制御を行うもので、主制御基板１０１側から変動パターン指定コマンドを受信した場合に、その変動パターン指定コマンドに対応する変動パターンに基づいて画像表示手段２１の表示画面２１ａ上で第１演出図柄又は第２演出図柄の変動を開始させると共に、変動停止指定コマンドを受信したときに、停止図柄指定コマンドに基づいて選択された停止図柄態様で第１演出図柄又は第２演出図柄の変動を停止させ、またその第１，第２演出図柄の変動表示に合わせて音声出力手段１３１から所定の効果音を出力し、またランプ手段１３２を所定のパターンで発光させるようになっている。
【００９０】
以上のように構成された本実施形態のパチンコ機では、図１１に示すように、低ベース時に発生する大当たり状態の終了後における時短遊技状態の発生確率が第１特別図柄側よりも第２特別図柄側の方が高く設定されていることにより、第１特別図柄表示手段２４ａが変動する場合よりも第２特別図柄表示手段２４ｂが変動する場合の方が一定期間における賞球払出個数の期待値が大きくなり、遊技者にとってより有利であると言える。しかしながら、低ベース時（時短遊技状態中以外）は、普通図柄表示手段２２で当たり態様となる確率は低く、しかも当たり態様となって普通利益状態が発生しても開閉式始動入賞手段２７の開放時間は僅かであるため（図１０）、開閉式始動入賞手段２７への入賞の可能性は極めて低い。従って、本実施形態のパチンコ機では、低ベース時には、右流下経路３５ｂ側の普通図柄始動手段２５及び開閉式始動入賞手段２７を狙って右打ちをするよりも、左打ちをして左流下経路３５ａ側から振り分け入球口５１を経て第１，第２始動入賞口４１，４２への入賞を狙う方が遊技者にとって有利である。
【００９１】
遊技者が低ベース時に左打ちをし、その遊技球が左流下経路３５ａから例えばワープ入口３６、ステージ３８を経て中央落下部３７から振り分け入球口５１に入球するか、又はステージ３８等を経ることなく遊技釘等に案内されて振り分け入球口５１に入球すると、その遊技球は凸部８４と凹部６７とに案内されて後向きに蛇行し、十分に減速した状態で振り分け可動体５４上に落下する（図６）。
【００９２】
振り分け可動体５４は、振り分け駆動手段５５の駆動により、例えば常に一定のパターンで、或いは遊技状態に応じて異なるパターンで、第１振り分け姿勢と第２振り分け姿勢とに切り替えられており、振り分け入球口５１への遊技球の入球タイミングに応じて、その遊技球は第１案内通路５２と第２案内通路５３とに振り分けられる。即ち、例えば振り分け可動体５４が第２振り分け姿勢（図５に一点鎖線で示す）から第１振り分け姿勢（図５に実線で示す）に至る期間中に振り分け入球口５１に入球した遊技球は、図５に実線矢印で示すように、振り分け可動体５４が第１振り分け姿勢となった時点で第１案内通路５２側に案内され、また例えば振り分け可動体５４が第１振り分け姿勢から第２振り分け姿勢に至る期間中に振り分け入球口５１に入球した遊技球は、図５に二点鎖線の矢印で示すように、振り分け可動体５４が第２振り分け姿勢となった時点で第２案内通路５３側に案内される。
【００９３】
第１，第２案内通路５２，５３の何れかに案内された遊技球は、図６，図７に示すようにそれぞれ第１，第２案内通路５２，５３の下流側端部近傍で前案内部７８ａ，７９ａと凹部８５，８６とに案内されて前向きに蛇行しつつ第１，第２始動入賞口４１，４２上に落下する。このとき、遊技球は前向きに蛇行することによって左右方向へのぶれが抑制されるため、隙間８３ａ〜８３ｄから外に飛び出す可能性は低く、極めて高い確率で第１，第２始動入賞口４１，４２に入賞する。
【００９４】
第１始動入賞口４１に入賞した遊技球は、入賞球排出口７２、第１傾斜通路部７４及び第１排出通路部９２を経て遊技盤５の裏側に案内され、またその際に第１遊技球検出手段９４によって検出される。また、第２始動入賞口４２に入賞した遊技球は、第２入賞球排出口７３、第２傾斜通路部７５及び第２排出通路部９３を経て遊技盤５の裏側に案内され、またその際に第２遊技球検出手段９５によって検出される。
【００９５】
そして、第１始動入賞口４１に入賞した場合にはそれに基づいて第１特別図柄表示手段２４ａが変動し、第２始動入賞口４２に入賞した場合にはそれに基づいて第２特別図柄表示手段２４ｂが変動するが、第１，第２特別保留個数が共に１以上である場合には、第１特別図柄表示手段２４ａの図柄変動よりも第２特別図柄表示手段２４ｂの図柄変動が優先して行われる。
【００９６】
このように、本実施形態のパチンコ機では、低ベース時であっても、第１特別図柄表示手段２４ａの変動開始に係る第１始動入賞口４１だけでなく、遊技者にとってより有利な第２特別図柄表示手段２４ｂの変動開始に係る第２始動入賞口４２への入賞も期待できるため、いわゆる右打ちと左打ちとのどちらが遊技者にとって有利であるかが遊技状態によって明確に異なるにも拘わらず、変化に富んだ遊技展開が期待できる。
【００９７】
第１，第２特別図柄表示手段２４ａ，２４ｂの変動後の停止図柄が大当たり態様となった場合には、大入賞手段２８が開放する大当たり状態が発生するため、遊技者は右流下経路３５ｂ上の大入賞手段２８を狙って右打ちに切り換えればよい。
【００９８】
第１特別図柄表示手段２４ａが大当たり態様となって大当たり状態が発生した場合には、８０％の確率で確変遊技状態が発生するが、時短遊技状態が発生することはなく（図１１）、従ってその後も低ベースでの遊技が継続するため、大当たり状態の終了後は遊技者は再び左打ちに切り換えることになる。
【００９９】
一方、第２特別図柄表示手段２４ｂが大当たり態様となって大当たり状態が発生した場合には、必ず時短遊技状態が発生するため（図１１）、大当たり状態の終了後は高ベースでの遊技となる。従って、遊技者は大当たり状態中に続いて右打ちをして、右流下経路３５ｂ上の普通図柄始動手段２５及び開閉式始動入賞手段２７を狙うことにより、低ベース時に比べてより有利に遊技を行うことができる。
【０１００】
また、本パチンコ機に対し、第１，第２始動入賞口４１，４２を狙っていわゆる磁石ゴトが行われる場合、第１，第２始動入賞口４１，４２の間から隙間８３ｃ，８３ｂを経て第１，第２始動入賞口４１，４２の上部領域に至る中央経路と、第１始動入賞口４１の右側から隙間８３ｄを経て第１始動入賞口４１の上部領域に至る右側経路と、第２始動入賞口４２の左側から隙間８３ａを経て第２始動入賞口４２に至る左側経路とが存在する。
【０１０１】
ここで、例えば右側経路は大入賞ユニット１９上の磁気センサ４３が近く、また左側経路は中央始動入賞ユニット１７上の磁気センサ５０が近いため、それらの経路上に磁石が近づいた場合には、その磁力が弱い場合でも確実に磁気センサ４３，５０によって検知することができる。一方、中央経路は磁気センサ４３，５０の何れからも遠いため、例えば遊技球１個をガラス板１０ａ越しになんとか吸着できる程度の比較的弱い磁石が用いられた場合には、磁気センサ４３，５０の何れも検知できない可能性がある。
【０１０２】
しかしながら本パチンコ機では、第１，第２始動入賞口４１，４２の間に横突条部８８ａ，８８ｂが配置され、更に隙間８３ｃ，８３ｂに対応して縦突条部８７ｃ，８７ｂが配置されており、図８に示すように、磁石に案内された遊技球がそれら突条部８８ａ，８８ｂ，８７ｃ，８７ｂを乗り越える際に磁石と遊技球との距離が拡大するようになっている。これにより、磁気センサ４３，５０によって検知できない程度の弱い磁石が用いられた場合には、遊技球を吸着したまま突条部８８ａ，８８ｂ，８７ｃ，８７ｂを乗り越えさせることが困難となり、磁石ゴトを効果的に阻止できる。
【０１０３】
また本パチンコ機では、振り分け駆動手段５５がＯＦＦの状態では、振り分け可動体５４が、第１振り分け姿勢と第２振り分け姿勢とのうち、遊技者にとって不利な第１振り分け姿勢（図５に実線で示す）に保持されるようになっているため、例えば振り分け駆動手段５５に接続されているハーネスが故意に切断されたような場合、振り分け入球口５１に入球した遊技球は全て第１始動入賞口４１側に案内され、遊技者にとってより有利な第２始動入賞口４２への入賞を阻止できる。
【０１０４】
以上、本発明の実施形態について詳述したが、本発明はこれらの実施形態に限定されるものではなく、本発明の趣旨を逸脱しない範囲で種々の変更が可能である。例えば実施形態では、通過障害部の一例としての突条部８８ａ，８８ｂ，８７ｃ，８７ｂを前カバー８０に後向き突出状に設けた例を示したが、通過障害部は必ずしも前カバーに設ける必要はなく、磁石を用いた遊技球の誘導に用いられる可能性のある経路（以下、誘導経路という）に対し、遊技球が通過可能な範囲でその誘導経路の前部側を狭めるものであればよい。
【０１０５】
図１２は、誘導経路に対応する前カバーが設けられていない場合の通過障害部の配置例を示している。この例では、第１始動入賞口４１と第２始動入賞口４２との間に、それら第１，第２始動入賞口４１，４２の前端側を接続するように棒状の通過障害部８８ａ，８８ｂを架設し、また隙間８３ｃ，８３ｂに対応して第１，第２案内通路５２，５３と第１，第２始動入賞口４１，４２との前端側をそれぞれ接続するように棒状の通過障害部８７ｃ，８７ｂを架設している。
【０１０６】
また、通過障害部は、ガラス板１０ａ越しに磁石によって誘導されて誘導経路を通過する遊技球が必ず乗り越える最小限の範囲に配置すればよく、例えば図１３に示すように、誘導経路を横切るように点状の突起部（通過障害部）１３５ｂ，１３５ｃ，１３６ａ，１３６ｂを一又は複数個ずつ配置してもよい。
【０１０７】
実施形態では、始動入賞口４１の右側の右側経路、第２始動入賞口４２の左側の左側経路は磁気センサからの距離が近いことを理由に通過障害部を設けていないが、これらの経路上の例えば隙間８３ｄ，８３ａにも通過障害部を設けてもよい。
【０１０８】
振り分け入球口５１に入球した遊技球を複数の案内通路に振り分ける振り分け手段は可動体でなくてもよく、例えば一又は複数の遊技釘等を振り分け手段としてもよい。また、振り分け手段によって遊技球を３つ以上の案内通路に振り分けるように構成してもよい。
【０１０９】
実施形態では、上流側に振り分け手段が設けられた振り分け始動入賞手段２６上の入賞口に対して通過障害部を設けた例を示したが、もちろんそれ以外の入球口に対して通過障害部を設けてもよい。
【０１１０】
また本発明は、パチンコ機に限らず、アレンジボール機、雀球遊技機等の各種の弾球遊技機においても同様に実施することが可能である。
【符号の説明】
【０１１１】
５    遊技盤
１５    遊技領域
１７    中央始動入賞ユニット（ユニット）
４１    第１始動入賞口（入球口）
４２    第２始動入賞口（入球口）
５１    振り分け入球口
５２    第１案内通路（案内通路）
５３    第２案内通路（案内通路）
５４    振り分け可動体（可動体）
５５    振り分け駆動手段（駆動手段）
８０    前カバー
８７ｂ  縦突条部（通過障害部）
８７ｃ  縦突条部（通過障害部）
８８ａ  横突条部（通過障害部）
８８ｂ  横突条部（通過障害部）
１３５ｂ  突起部（通過障害部）
１３５ｃ  突起部（通過障害部）
１３６ａ  突起部（通過障害部）
１３６ｂ  突起部（通過障害部）
【図１】
2014151046.tif 000003
【図２】
2014151046.tif 000004
【図３】
2014151046.tif 000005
【図４】
2014151046.tif 000006
【図５】
2014151046.tif 000007
【図６】
2014151046.tif 000008
【図７】
2014151046.tif 000009
【図８】
2014151046.tif 000010
【図９】
2014151046.tif 000011
【図１０】
2014151046.tif 000012
【図１１】
2014151046.tif 000013
【図１２】
2014151046.tif 000014
【図１３】
2014151046.tif 000015